(57)【要約】      （修正有）【課題】容易にクライアント端末にて印染物のデザイン等を決定して、ネットワークを介してサーバに印染物発注情報を送信する印染物発注システムを提供する。【解決手段】クライアント端末１００と、サーバ２００とが所定のネットワークを介して接続される印染物発注システムであって、クライアント端末１００は、表示部１０１に表示される印染物のデザインに関する選択肢から選択された前記デザインの入力を受け付ける受付部１０２と、クライアント端末１００は、前記ネットワークを介してサーバ２００に前記選択された前記デザインの情報を含む印染物発注情報を送信する送信部１０３とを備え、サーバ２００は、前記ネットワークを介してクライアント端末１００から前記印染物発注情報を受信する受信部２０１を備える。【選択図】図２
0003217540.tif 000002
【実用新案登録請求の範囲】
【請求項１】
クライアント端末と、サーバとが所定のネットワークを介して接続される印染物発注システムであって、
前記クライアント端末は、表示部に表示される印染物のデザインに関する選択肢から選択された前記デザインの入力を受け付ける受付部と、
前記クライアント端末は、前記ネットワークを介して前記サーバに前記選択された前記デザインの情報を含む印染物発注情報を送信する送信部とを備え、
前記サーバは、前記ネットワークを介して前記クライアント端末から前記印染物発注情報を受信する受信部を備える
印染物発注システム。
【請求項２】
ネットワークを介して接続されるクライアント端末から、該クライアント端末の表示部に表示される印染物のデザインに関する選択肢から選択された前記デザインの情報を含む印染物発注情報を受信するサーバ。
【請求項３】
請求項１記載の印染物発注システムにおける前記印染物発注情報に基づいて生産された印染物。
【請求項４】
請求項１乃至請求項３に記載の前記印染物は、半纏、法被、大漁旗および応援旗のいずれかである。
【考案の詳細な説明】
【技術分野】
【０００１】
本考案は、クライアント端末にて印染物のデザイン等を決定して、ネットワークを介してサーバに発注情報を送信する印染物発注システムの技術に関する。
【背景技術】
【０００２】
従来、オンライン商品購入システムにおいて、クライアント端末からネットワークを介してサーバに購入商品の情報を送信する電子商取引の仕組みが知られている。
【０００３】
関連技術として、広く知られた商品の受発注管理に関する技術の一例が開示されている（特許文献１参照）。
【先行技術文献】
【特許文献】
【０００４】
【特許文献１】特開２０１０−１７６４４０号公報
【考案の概要】
【考案が解決しようとする課題】
【０００５】
しかしながら、上記の関連技術は、単なる周知の商品受発注に関するものであり、個別具体的な特徴を有する印染物のデザイン等につき、クライアント端末の表示部に表示された選択肢から選択しながら印染物を発注するシステムを実現することは困難であるという問題点があった。
【０００６】
本考案の目的は、容易にクライアント端末にて印染物のデザイン等を決定して、ネットワークを介してサーバに印染物発注情報を送信する印染物発注システムを提供することにある。
【課題を解決するための手段】
【０００７】
本考案の印染物発注システムは、
クライアント端末と、サーバとが所定のネットワークを介して接続される印染物発注システムであって、
クライアント端末は、表示部に表示される印染物のデザインに関する選択肢から選択されたデザインの入力を受け付ける受付部と、
クライアント端末は、ネットワークを介してサーバに選択されたデザインの情報を含む印染物発注情報を送信する送信部とを備え、
サーバは、ネットワークを介してクライアント端末から印染物発注情報を受信する受信部を備える。
【０００８】
本考案のサーバは、
ネットワークを介して接続されるクライアント端末から、クライアント端末の表示部に表示される印染物のデザインに関する選択肢から選択されたデザインの情報を含む印染物発注情報を受信する。
【０００９】
本考案の印染物は、上記の印染物発注システムにおける印染物発注情報に基づいて生産されたものである。
【００１０】
また、上記の印染物は、半纏、法被、大漁旗および応援旗のいずれかであってよい。
【考案の効果】
【００１１】
本考案によれば、容易にクライアント端末にて印染物のデザイン等を決定して、ネットワークを介してサーバに印染物発注情報を送信する印染物発注システムを提供することができる。
【図面の簡単な説明】
【００１２】
【図１】本考案の実施の形態に係る印染物発注システムの構成図である。
【図２】本考案の実施の形態に係るクライアント端末およびサーバの機能ブロック図である。
【図３】本考案の実施の形態に係るクライアント端末の表示画面（半纏）の一例を示す図である。
【図４】本考案の実施の形態に係るクライアント端末の表示画面（大漁旗）の一例を示す図である。
【考案を実施するための形態】
【００１３】
以下、本考案の実施の形態を図面を参照しつつ説明する。
本実施の形態における印染物発注システムの構成を図１を参照して説明する。
【００１４】
図１に示すように、印染物発注システム１０は、クライアント端末１００と、サーバ２００から構成されている。
【００１５】
クライアント端末１００と、サーバ２００は、所定のネットワークを介して接続されている。所定のネットワークは、インターネット、ＬＡＮ（Local Area Network）等であってよく、また有線・無線等は問わない。
【００１６】
クライアント端末１００は、ＣＰＵ（Central Processing Unite）により制御される、ＲＯＭ（Read Only Memory）・ＲＡＭ（Random Access Memory）等の記憶手段を備え、公知の入出力手段を備える情報処理装置である。例えば、パーソナル・コンピュータ、携帯端末等である。
【００１７】
サーバ２００は、ＣＰＵ（Central Processing Unite）により制御される、ＲＯＭ（Read Only Memory）・ＲＡＭ（Random Access Memory）等の記憶手段を備え、公知の入出力手段を備える情報処理装置である。例えば、ワークステーション、高機能のパーソナル・コンピュータ等である。ＢｔｏＣの電子商取引を行う事業者により運営されることであってよい。
【００１８】
印染物発注システム１０を構成する、クライアント端末１００と、サーバ２００は、主として情報処理装置であり、これらの詳細な構成は公知の種々の技術が適用されてよく、上記した以外の説明はここでは省略する。
【００１９】
図２に、本実施の形態に係る印染物発注システム１０を構成する、クライアント端末１００と、サーバ２００の機能ブロックを示す。
【００２０】
図２を参照すると、クライアント端末１００は、表示部１０１と、受付部１０２と、送信部１０３を備えている。各部は、公知の入出力Ｉ／ＦやＣＰＵ等により実現されてよい。
【００２１】
表示部１０１は、ディスプレイ等の表示機構に、印染物およびその印染物のデザインに関する選択肢を表示する機能を有している。
印染物自体は画面の左側に、印染物のデザインに関する選択肢は画面の右側に、見易いように表示されることであってもよい。
なお、画像を表示させる処理は、サーバ２００等から予めダウンロードされたアプリケーション等をクライアント端末１００にて実行することであっても、所定のＵＲＬにアクセスすることなどによりダウンロードして実行することであってもよく、また、リアルタイムにサーバ２００等から実行処理命令を受け付けることで実現されてもよい。
【００２２】
受付部１０２は、表示部１０１に表示される印染物のデザインに関する選択肢から選択されたデザインの入力を受け付ける機能を有している。例えば、画面を閲覧する顧客によるマウス操作を通じたポインタによるボタンの押し下げ操作を通じて、入力操作を画面から受け付ける。
【００２３】
送信部１０３は、ネットワークを介してサーバ２００に選択されたデザインの情報を含む印染物発注情報を送信する機能を有している。
【００２４】
図２を参照すると、サーバ２００は、受信部２０１と、ＤＢ管理部２０２と、記憶部２０３を備えている。各部は、公知の入出力Ｉ／ＦやＣＰＵ等により、またＨＤＤ等により実現されてよい。
【００２５】
受信部２０１は、クライアント端末１００の送信部１０３から、ネットワークを介して印染物発注情報を受信する機能を有している。
ＤＢ管理部２０２は、データベースを検索キーに基づいて検索を実施し、検索結果を他の装置に送信等する機能を有している。また、受信した印染物発注データを記憶部２０３に追加する機能を有している。
記憶部２０３は、画像データベース、デザインの選択肢データベース、受注データベースや顧客データベース等を格納する機能を有している。各ＤＢは、所定のＩＤ等に各種のデータが紐付けられて記憶されている所定のテーブルを有するデータベースである。
【００２６】
次に、本実施の形態に係る印染物発注システム１０の処理動作を詳細に説明する。
以下のデータ（情報）の送受信は図１に示す、インターネットや所定のネットワークを介して実施される。
【００２７】
まず、クライアント端末１００の表示部１０１は、クライアント端末１００の液晶ディスプレイに、画像を表示する。
【００２８】
印染物が、半纏、法被である場合の画像は、例えば、図３に示すようなものである。
ここでは、デザインに関する選択肢として、「色を選ぶ」、「腰柄を選ぶ」、「大紋を選ぶ」がある。
「色を選ぶ」には、グレー、青、濃紺、水色、茶、こげ茶、緑、濃緑、紫、藤色、あずき、赤、ピンク、オレンジ、黄色、黒などがプルダウン形式で選択可能に表示されることであってもよい。そして、色が選択された場合には、左側の半纏、法被の画像に、当該色が反映されて視認可能に表示される。
「腰柄を選ぶ」には、レンガ、のし、綾菱形、二の字、巴総柄、桜吹雪、御所車、角字、藤の山道、二引き、蝶、市松、青海波、吉原、吉原二段、波柄、魚、腰柄なしなどがプルダウン形式で選択可能に表示されることであってもよい。そして、腰柄が選択された場合には、左側の半纏、法被の画像に、腰柄が反映されて視認可能に表示される。
「大紋を選ぶ」には、丸に剣片喰、炎、左三つ巴、神輿、纏、睦、祭（黒）、祭（赤）、魚がし、大紋なしなどがプルダウン形式で選択可能に表示されることであってもよい。そして、大紋が選択された場合には、左側の半纏、法被の画像に、大紋が反映されて視認可能に表示される。
【００２９】
印染物が、大漁旗、応援旗である場合の画像は、例えば、図４に示すようなものである。
ここでは、デザインに関する選択肢として、「文字のタテ・ヨコ」、「フォント」、「デザイン」がある。さらに、「ハトメの位置」、「サイズ」、「色」、「文字のサイズ」、「フリンジの有無」、「生地の種類・染め方」、「白フチの有無」が選択可能であってもよい。
「デザイン」には、波、太陽、貝、マグロ、鯛などがプルダウン形式で選択可能に表示されることであってもよい。そして、デザインが選択された場合には、左側の大漁旗、応援旗の画像に、デザインが反映されて視認可能に表示される。
【００３０】
次に、クライアント端末１００の受付部１０２は、表示部１０１に表示される印染物のデザインに関する選択肢から選択されたデザインの入力を受け付ける。
【００３１】
次に、クライアント端末１００の送信部１０３は、ネットワークを介してサーバ２００に選択されたデザインの情報を含む印染物発注情報を送信する。例えば、画面上の発注確定ボタン（不図示）等の押し下げ操作に応じて送信処理が実行されることであってもよい。
【００３２】
次に、サーバ２００の受信部２０１は、クライアント端末１００の送信部１０３から、ネットワークを介して印染物発注情報を受信する。
【００３３】
そして、サーバ２００のＤＢ管理部２０２は、記憶部２０３のデータベースを検索キーに基づいて検索を実施し、検索結果を他の装置に送信等したり、自装置の表示機構に表示する。
そして、印染物発注情報に基づいて、選択されたデザイン等の印染物が製造・生産されて、購入顧客へ引き渡される。
【００３４】
上記の本実施の形態によれば、容易にクライアント端末にて印染物のデザイン等を決定して、ネットワークを介してサーバに印染物発注情報を送信することで、クライアント端末とサーバのよりスムーズな連携を図ることができる。
【００３５】
なお、上述する各実施の形態は、本考案の好適な実施の形態であり、本考案の要旨を逸脱しない範囲内において種々変更実施が可能である。例えば、各装置・システムの機能を実現するためのプログラムを各装置・システム等に読込ませて実行することにより各装置・システム等の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線等を介して伝送波により他のコンピュータシステムに伝送されてもよい。また、一部のシステムが人の動作を介在して実現されてもよい。
【符号の説明】
【００３６】
１０      印染物発注システム
１００    クライアント端末
２００    サーバ
【図１】
0003217540.tif 000003
【図２】
0003217540.tif 000004
【図３】
0003217540.tif 000005
【図４】
0003217540.tif 000006
【手続補正書】
【提出日】平成30年6月14日(2018.6.14)
【手続補正１】
【補正対象書類名】実用新案登録請求の範囲
【補正対象項目名】全文
【補正方法】変更
【補正の内容】
【実用新案登録請求の範囲】
【請求項１】
クライアント端末と、サーバとが所定のネットワークを介して接続される印染物発注システムであって、
前記クライアント端末は、表示部に表示される印染物のデザインに関する選択肢から選択された前記デザインの入力を受け付ける受付部と、
前記クライアント端末は、前記ネットワークを介して前記サーバに前記選択された前記デザインの情報を含む印染物発注情報を送信する送信部とを備え、
前記サーバは、前記ネットワークを介して前記クライアント端末から前記印染物発注情報を受信する受信部を備える
印染物発注システム。
【請求項２】
前記印染物は、半纏、法被、大漁旗および応援旗のいずれかである請求項１記載の印染物発注システム。
【請求項３】
請求項１又は２記載の印染物発注システムにおける前記印染物発注情報に基づいて生産された印染物。
【請求項４】
ネットワークを介して接続されるクライアント端末から、該クライアント端末の表示部に表示される印染物のデザインに関する選択肢から選択された前記デザインの情報を含む印染物発注情報を受信するサーバ。